(57)【要約】      （修正有）【課題】パフォーマンスを制限しないように選手の動きやすさと柔軟性を維持しつつ重要な領域内に十分な保護を与える保護用衣類の物品を提供する。【解決手段】保護用衣類１００の物品は、真空成形された第１の材料を備える第１の外側外殻を含む。第１の外側外殻は、第１の空洞１１６、第２の空洞、および第１の空洞と第２の空洞の間に配設されたチャンネルを含みうる。保護用衣類は、第１の空洞内に配設された第１のパッドピース１３０と、第２の空洞内に配設された第２のパッドピースと、第１の外側外殻に取り付けられた第１の内側層１２０とを含む。第１のパッドピースおよび第２のパッドピースは、第１の外側外殻と第１の内側層の間に配設されうる。【選択図】図４
2018066101.tif 000002
【特許請求の範囲】
【請求項１】
真空成形された第１の材料を備える第１の外側外殻であって、
第１の空洞、
第２の空洞、および
前記第１の空洞と前記第２の空洞の間に配設されたチャンネル
を備える、前記第１の外側外殻と、
前記第１の空洞内に配設された第１のパッドピースと、
前記第２の空洞内に配設された第２のパッドピースと、
前記第１の外側外殻に取り付けられた第１の内側層と
を備え、
前記第１のパッドピースおよび前記第２のパッドピースは、前記第１の外側外殻と前記第１の内側層の間に配設される、保護用衣類の物品。
【請求項２】
前記第１の材料は熱可塑性エラストマを備える、請求項１に記載の保護用衣類の物品。
【請求項３】
前記第１の材料は熱可塑性ポリウレタンを備える、請求項２に記載の保護用衣類の物品。
【請求項４】
前記第１の材料は布を備える、請求項１に記載の保護用衣類の物品。
【請求項５】
前記第１のパッドピースはダイカットフォームを備える、請求項１に記載の保護用衣類の物品。
【請求項６】
前記第２のパッドピースはモールデッドフォームを備える、請求項５に記載の保護用衣類の物品。
【請求項７】
前記第１のパッドピースは硬化された液体フォームを備える、請求項１に記載の保護用衣類の物品。
【請求項８】
保護用衣類は、
掌側部分と、
背側部分と、
袖口部分と
を備えるグローブである、請求項１に記載の保護用衣類の物品。
【請求項９】
前記背側部分は、前記第１の外側外殻と、前記第１のパッドピースと、前記第２のパッドピースと、前記第１の内側層とを備える、請求項８に記載の保護用衣類の物品。
【請求項１０】
前記袖口部分は前記背側部分に結合されており、前記袖口部分は、
真空成形された第２の材料を備える第２の外側外殻であって、第３の空洞を有する、第２の外側外殻と、
前記第３の空洞内に配設された第３のパッドピースと、
前記第２の外側外殻に取り付けられた第２の内側層であって、前記第３のパッドピースは前記第２の外側外殻と前記第２の内側層との間に配設される、第２の内側層と、
前記袖口部分を着用者の腕に対して固定するように構成されたストラップと
を備える、請求項８に記載の保護用衣類の物品。
【請求項１１】
前記第１の材料および前記第２の材料は同じである、請求項１０に記載の保護用衣類の物品。
【請求項１２】
前記保護用衣類は、エルボーパッド、肩パッド、または胸部保護具である、請求項１に記載の保護用衣類の物品。
【請求項１３】
外側層と、内側層と、前記外側層の空洞内で前記外側層と前記内側層の間に配設されたパッドピースとを有するパッド部分であって、
モールド上に前記外側層を真空成形し、
前記外側層の空洞内に前記パッドピースを配設し、
前記内側層を前記外側層に取り付ける
ことによって成形される、前記パッド部分
を備える、保護用衣類の物品。
【請求項１４】
前記外側層は熱可塑性エラストマを備える、請求項１３に記載の保護用衣類の物品。
【請求項１５】
前記パッドピースはダイカットフォームを備える、請求項１３に記載の保護用衣類の物品。
【請求項１６】
保護用衣類の物品を作製する方法であって、
複数の凹みを備えるパターンを有する真空モールド上に第１の層を配設するステップと、
前記第１の層が前記真空モールドの凹みに対応する複数の空洞を備えるように第１の層を真空成形するステップと、
前記第１の層の空洞内にフォームを配設するステップと、
前記第２の層を前記第１の層に取り付けるステップと
を含む方法。
【請求項１７】
前記空洞内にフォームを配設するステップは、前記空洞内にダイカットフォームピースを配設するステップを含む、請求項１６に記載の方法。
【請求項１８】
前記空洞内にフォームを配設するステップは、前記空洞内に液体フォームを注入するステップを含む、請求項１６に記載の方法。
【請求項１９】
前記第１の層の外表面上に昇華されたグラフィックを製作するステップをさらに含む、請求項１６に記載の方法。
【請求項２０】
前記第１の層を真空成形する前に前記第１の層の上にシートを配設するステップをさらに含み、前記シートは、シリコーン、またはエラストマを備える、請求項１６に記載の方法。
【発明の詳細な説明】
【技術分野】
【０００１】
本開示は、保護用衣類および装備、ならびに保護用衣類および装備を製造する方法に関する。例えば、本開示は、ラクロス、ホッケー、野球など用の着用可能なパッドおよびグローブ、ならびにそのような装備を製造する方法の実施形態に関する。
【背景技術】
【０００２】
保護用衣類は、スポーツ、詳細にはラクロスおよびホッケーなどのコンタクトスポーツで着用するアスリート用の重要な装備である。初期の保護用衣類は、アスリートに保護をもたらしたが、最大の運動能力のためにはしばしば重荷であり嵩張った。初期のモデルの嵩張った性質を減少させるために、より流線型の保護用衣類が創作されたが、いくらかの最新の衣類は、十分な保護を与えない。保護用パッドの次世代設計は、十分な保護をアスリートに与えるが、着用しにくくなく、いっそう動きやすいものでもあり得る必要がある。さらに、他のものよりもいくつかの領域内でより多くの保護を有する保護用衣類を設計することが有益である。したがって、パフォーマンスを制限しないように選手の動きやすさと柔軟性を維持しつつ重要な領域内に十分な保護を与える保護用衣類が必要とされている。
【発明の概要】
【課題を解決するための手段】
【０００３】
いくつかの実施形態では、保護用衣類の物品は、真空成形された第１の材料を有する第１の外側外殻を備えることができる。いくつかの実施形態では、第１の外側外殻は、第１の空洞と、第２の空洞と、第１の空洞と第２の空洞の間に配設されたチャンネルとを備えることができる。いくつかの実施形態では、保護用衣類は、第１の空洞内に配設された第１のパッドピース（ｐａｄｄｉｎｇ  ｐｉｅｃｅ）と、第２の空洞内に配設された第２のパッドピースと、第１の外側外殻に取り付けられた第１の内側層とを備えることができる。いくつかの実施形態では、第１のパッドピースおよび第２のパッドピースは、第１の外側外殻と第１の内側層の間に配設することができる。いくつかの実施形態では、第１の材料は、熱可塑性エラストマで構成することができる。いくつかの実施形態では、第１の材料は、熱可塑性ポリウレタンで構成することができる。いくつかの実施形態では、第１の材料は、布（ｆａｂｒｉｃ）とすることができる。
【０００４】
いくつかの実施形態では、第１および／または第２のパッドピースは、ダイカットフォーム（ｄｉｅ−ｃｕｔ  ｆｏａｍ）で構成することができる。いくつかの実施形態では、第１のおよび／または第２のパッドピースは、モールデッドフォーム（ｍｏｌｄｅｄ  ｆｏａｍ）で構成することができる。いくつかの実施形態では、第１および／または第２のパッドピースは、硬化された液体フォームで構成することができる。
【０００５】
いくつかの実施形態では、保護用衣類は、グローブとすることができる。いくつかの実施形態では、グローブは、掌側部分と、背側部分と、袖口部分とを備えることができる。いくつかの実施形態では、背側部分は、第１の外側外殻と、第１のパッドピースと、第２のパッドピースと、第１の内側層とを備えることができる。いくつかの実施形態では、袖口部分は、背側部分に結合することができる。いくつかの実施形態では、袖口部分は、真空成形された第２の材料を有する第２の外側外殻を備えることができる。いくつかの実施形態では、第１の材料および第２の材料は、同じとすることができる。いくつかの実施形態では、第２の外側外殻は、第３の空洞と、第３の空洞に配設された第３のパッドピースと、第２の外側外殻に取り付けられた第２の内側層とを有することができる。いくつかの実施形態では、第３のパッドピースは、第２の外側外殻と第２の内側層の間に配設することができる。いくつかの実施形態では、ストラップは、袖口部分を着用者の腕に対して固定するように構成することができる。
【０００６】
いくつかの実施形態では、保護用衣類は、エルボーパッド、肩パッド、または胸部保護具とすることができる。
【０００７】
いくつかの実施形態では、保護用衣類の物品は、外側層と、内側層と、外側層の空洞内で外側層と内側層の間に配設されたパッドピースとを有するパッド部分を備えることができる。いくつかの実施形態では、パッド部分は、モールド上に外側層を真空成形し、外側層の空洞内にパッドピースを配設し、内側層を外側層に取り付けることによって成形することができる。いくつかの実施形態では、外側層は、熱可塑性エラストマで構成することができる。いくつかの実施形態では、パッドピースは、ダイカットフォームで構成することができる。
【０００８】
いくつかの実施形態では、保護用衣類の物品を作製する方法は、複数の凹みを備えるパターンを有する真空モールド上に第１の層を配設するステップと、第１の層が真空モールドの凹みに対応する複数の空洞を備えるように第１の層を真空成形するステップと、第１の層の空洞内にフォームを配設するステップと、第２の層を第１の層に取り付けるステップとを含むことができる。いくつかの実施形態では、空洞内にフォームを配設するステップは、空洞内にダイカットフォームピースを配設することを含むことができる。いくつかの実施形態では、空洞内にフォームを配設するステップは、空洞内に液体フォームを注入することを含むことができる。いくつかの実施形態では、方法は、第１の層の外表面上に昇華されたグラフィックを製作するステップを含むことができる。いくつかの実施形態では、方法は、第１の層を真空成形する前に、第１の層の上にシートを配設するステップを含むことができる。いくつかの実施形態では、シートは、シリコーン、またはエラストマで構成することができる。
【０００９】
添付図面は、本明細書中に組み込まれ本明細書の一部を形成するものであり、実施形態を例示し、説明とともに、さらに、原理を説明し、当業者が実施形態を作製し使用することを可能にする働きをする。
【図面の簡単な説明】
【００１０】
【図１】一実施形態による保護用衣類を作製する方法のフローチャートである。
【図２】一実施形態による保護用衣類を作製する方法のフローチャートである。
【図３】一実施形態による保護用衣類を作製する方法のフローチャートである。
【図４】一実施形態による保護用衣類の断面図である。
【図５】一実施形態による保護用衣類の断面図である。
【図６】一実施形態による保護用衣類用のフォームトレイを示す図である。
【図７】一実施形態によるグローブの背側の図である。
【図８】一実施形態によるグローブの背側の図である。
【図９】一実施形態によるグローブの掌側の図である。
【図１０】一実施形態によるグローブの背側の図である。
【図１１】一実施形態によるグローブの掌側の図である。
【図１２】一実施形態によるグローブの背側の斜視図である。
【図１３】一実施形態によるグローブの掌側の斜視図である。
【図１４】一実施形態によるグローブ型板を示す図である。
【図１５】一実施形態によるグローブ型板の後面図である。
【図１６】一実施形態によるグローブ型板を示す図である。
【図１７】一実施形態によるエルボーパッドを示す図である。
【図１８】一実施形態によるエルボーパッドの後面図である。
【図１９】一実施形態による胸部保護具を示す図である。
【図２０】一実施形態による肩パッドを示す図である。
【図２１】一実施形態による保護用衣類を示す図である。
【図２２】一実施形態による保護用衣類の後面図である。
【図２３】一実施形態によるモールド上の保護用衣類の外側層を示す図である。
【図２４】一実施形態によるモールド上のフォームを有する保護用衣類の外側層を示す図である。
【図２５】一実施形態による保護用衣類を成形するためのプレートを示す図である。
【図２６】一実施形態によるダイカットフォームシートを示す図である。
【図２７】一実施形態による空洞内にフォームを有するグローブ型板を示す図である。
【図２８】一実施形態によるグローブモールドを示す図である。
【図２９】一実施形態によるエルボーパッドモールドを示す図である。
【図３０】一実施形態による肩パッドのためのチェストモールドを示す図である。
【図３１】一実施形態による肩パッドのためのバックモールドを示す図である。
【図３２】一実施形態による保護用衣類を作製する方法のフローチャートである。
【図３３】一実施形態によるモールド上の保護用衣類層の断面図である。
【発明を実施するための形態】
【００１１】
実施形態の特徴および利点は、図面とともに見るときに以下に記載された詳細な説明からより明らかになろう。同じ参照符号は、全体を通じて対応する要素を特定する。これらの図面では、同じ参照番号は、原則として、同一の要素、機能的に同様の要素、および／または構造的に同様の要素を示す。
【００１２】
本開示の実施形態が、添付図面に示されるような本開示の実施形態を参照して詳細に説明される。「１つの実施形態」、「一実施形態」、「いくつかの実施形態」等の言及は、記載された実施形態は、特定の特徴、構造、または特性を有することができるが、全ての実施形態は、特定の特徴、構造、または特性を必ずしも有さなくてもよいことを示す。また、そのようなフレーズは、同じ実施形態に必ずしも関するものとは限らない。さらに、特定の特徴、構造、または特性が一実施形態とともに説明されているとき、明示的に説明されていてもいなくても他の実施形態に関連したそのような特徴、構造、または特性に影響が及ぶことは当業者の知識内にあることが提示されている。
【００１３】
以下の例は、本実施形態の例示であり、限定するものではない。当技術分野で普通に出会う当業者に明らかである様々な状況およびパラメータの他の適切な修正および適合は、本開示の精神および範囲内である。
【００１４】
保護用衣類、パッド、装備（例えば、スポーツ装備）などは、本明細書中で概して「保護用衣類」と呼ばれ、本明細書中に説明する方法のいずれかに従って作製することができる。当業者は、本明細書中に説明された特定の保護用衣類、ならびに他のタイプの保護用衣類を作製するために開示した方法の適用の仕方を理解されよう。したがって、特定の方法により製造されるように開示した一実施形態は、その方法によって製造されることに限定されず、本明細書中に説明された方法のいずれかによって作製することができる。さらに、本製造方法のいくつかの実施形態は、本明細書中に説明された各ステップを含んでもよいが、他のものは各ステップを含まなくてもよい。
【００１５】
開示した方法は、例えば、限定するものではないが、グローブ（例えば、ラクロスグローブ、ホッケーグローブ、サッカーのゴールキーパーのグローブ、フットボールグローブ、野球およびソフトボールのバッティング用グローブ、重量挙げグローブ、ボクシンググローブ、戦術的な法執行機関のグローブ、または作業グローブ）、エルボーパッド、腕パッド、ひざパッド、脛パッド（例えば、サッカーまたはホッケーの脛あて）、脚パッド（例えば、ホッケーのゴールキーパーのパッド）、肩パッド、胸部保護具、肋骨パッド、大腿部パッド、臀部パッド、ならびに保護用ヘッドギアなどのスポーツ用装備といった保護用衣類または保護用衣類の一部を作製するために実施することができる。例えば、ジムマット、壁パッドなどの他のタイプの保護用装備またはパッド装備も、本明細書中に説明された方法により作製することができる。
【００１６】
いくつかの実施形態では、保護用衣類は、複雑に成形されたパッドピースを備えて作製することができ、材料の外側層または外殻はパッドピースの上にある。いくつかの実施形態では、熱可塑性物質、熱可塑性エラストマ、熱可塑性ポリウレタン（ＴＰＵ）、繊維素材、繊維素材と熱可塑性材料の両方を含む多層シート、または複合材料によって、外側外殻を成形することができる。いくつかの実施形態では、パッドピースは、フォーム、例えば、限定するものではないが、ポリウレタンフォーム、ポリエチレンフォーム、ポリスチレンフォーム、ＥＶＡフォーム、ビニルフォーム、膨張性材料、ポリエステルフォーム、メモリフォーム、ゲル、またはフォーム複合材料とすることができる。パッドピースは、様々なレベルのデュロメータおよび保護を含む組立体を作製するために、他のパッドピースまたはプラスチック材料またはゴム材料などの補強材料と層にすることができる。
【００１７】
図１は、一実施形態による保護用衣類を製造する方法を示す。ステップ１０において、保護用衣類の第１の層は、加熱することができる。ステップ１２において、第１の層は、モールドの上に真空成形することができる。いくつかの実施形態では、第１の層は、モールドの上に真空成形される前に加熱されなくてもよい。いくつかの実施形態では、第１の層は、それ自体が複数の層を有することができる。ステップ１４において、フォームピースは、ダイカットすることができる。例えば、フォームピースは、フォームのシートからダイカットすることができる。いくつかの実施形態では、フォームは、特定の形状にモールドすることもでき、モールデッドフォームは、ダイカットフォームに代わってまたはそれに加えて使用することができる。ステップ１６において、モールドの上に第１の層を真空成形することによって作り出された空洞または凹みは、レセプタクルとして働くことができるとともに、ダイカットフォームピースで満たされるまたは一部満たすことができる。ステップ１８において、第２の層は、第１の層と第２の層の間でダイカットフォームピースを囲むように第１の層に取り付けることができる。
【００１８】
図４は、一実施形態による保護用衣類１００の断面図を示す。保護用衣類１００は、例えば、図１に関連して説明される方法により製造することができる。いくつかの実施形態では、保護用衣類１００は、外面１１２および内面１１４を有する外側層１１０を備えることができる。外側層１１０を真空成形することによって、１つまたは複数の空洞１１６は、外側層１１０内に成形することができる。いくつかの実施形態では、外側層１１０は、第１の材料とすることができ、例えば、限定するものではないが、熱可塑性物質、熱可塑性エラストマ、熱可塑性ポリウレタン（ＴＰＵ）、繊維素材、繊維素材と熱可塑性材料の両方を含む多層シート、または複合材料が、外側外殻を成形することができる。
【００１９】
いくつかの実施形態では、パッド、例えば、フォームピース１３０が、空洞１１６内に配設することができる。例えば、ダイカットフォームピース１３０のピースは、外側層１１０中の空洞１１６内に配設することができる。いくつかの実施形態では、フォームピース１３０は、例えば、図７、図８、図１０、図１７、図１９、および図２１に示されるような保護用衣類１００におけるフォームピース１３０の複雑なパターンを可能にするステンシルのようなツールを用いてダイカットすることができる。いくつかの実施形態では、フォームは、特定の形状にモールドすることもでき、モールデッドフォームは、ダイカットフォームに代わってまたはそれに加えて使用することができる。
【００２０】
いくつかの実施形態では、フォームピース１３０は、真空が続いている間に挿入することができる。いくつかの実施形態では、フォームピース１３０は、保護用衣類１００の外側層１１０の空洞１１６に対応する型板を用いてダイカットすることができる。例えば、図２６は、複雑な形状のフォームのピースが外側層１１０の空洞１１６内に配設されるように切除され除去されている、穴２７２を有するフォームシート２７０を示す。例えば、図２７におけるグローブ型板２６０に示されるように、フォームピース１３０は、外側層１１０内に配置することができ、外側層１１０は「氷トレイ」として働き、フォームピースは角氷のようになる。したがって、いくつかの実施形態では、フォームピース１３０は、空洞１１６のサイズ、形状、および深さが対応し得る。いくつかの実施形態では、フォームピース１３０の体積は、空洞１１６よりも約１０％大きくてもよく、したがってフォームピース１３０は、フォームピース１３０がぴったり嵌るために変形するように空洞１１６に押し込むことができる。
【００２１】
複数のタイプのフォームおよび様々な密度のフォームが、同じ保護用衣類に使用され得る。例えば、保護用衣類のあるエリアは、さらなる保護を与えるため、より硬いフォーム（すなわち、より密度の高いフォーム）に適し得る。他のエリアでは、より柔らかいフォーム（すなわち、より密度の低いフォーム）は、いくらかの保護をさらに与えつつ柔軟性の向上を可能にすることができる。したがって、カスタマイズされた保護プロファイルを有する保護用衣類は、実現することができる。例えば、図２７は、第１の密度を有するフォームピース２３０Ａと、第２の密度を有するフォームピース２３０Ｂとを示す。
【００２２】
図４を再び参照すると、いくつかの実施形態では、保護用衣類１００は、第１の表面１２２および第２の表面１２４を有する内側層１２０を備えることができる。いくつかの実施形態では、内側層１２０は、保護用衣類１００の外側層１１０と内側層１２０の間にフォームピース１３０を封入するように外側層１１０およびフォームピース１３０の上に配設することができる。内側層１２０は、任意の適切な材料、例えば、ＴＰＵまたは繊維素材とすることができる。いくつかの実施形態では、内側層１２０は、真空モールドが続く間に、外側層１１０の裏面およびフォームピース１３０にホットメルトすることができる。
【００２３】
図２は、一実施形態による保護用衣類を製造する方法を示す。ステップ２０において、第１の層および第２の層は、取り付けることができる。これは、例えば、図４中の外側層１１０によって表される。いくつかの実施形態では、繊維素材およびＴＰＵフィルムは、外側層１１０を成形するように取り付けることができる。いくつかの実施形態では、繊維素材およびＴＰＵは、第１および第２の層を共に接合するように共にホットプレスすることができる。いくつかの実施形態では、ホットプレスは、華氏２００から４００度で１０から３０秒間行われ得る。いくつかの実施形態では、ホットプレスは、華氏２５０から３５０度で行われ得る。いくつかの実施形態では、ホットプレスは、華氏約３００度で行われ得る。いくつかの実施形態では、ホットプレスは、１５から２５秒間行われ得る。いくつかの実施形態では、ホットプレスは、約１８秒間行われ得る。いくつかの実施形態では、ＴＰＵフィルムおよび繊維素材のたった一方が、外側層１１０を成形する。
【００２４】
ステップ２２において、第１および第２の層（または単一の層だけ）は、モールドの上に真空成形され外側層１１０を成形することができる。いくつかの実施形態では、繊維素材側は、モールドに接触することができる。いくつかの実施形態では、ＴＰＵ側は、モールドに接触することができる。真空成形された外側層１１０は、例えば図１を参照して上述されるとともに、例えば図２３に示されたように、「氷トレイ」を成形することができる。図２３のモールド７００のパターン７０２は、本明細書中に説明されたタイプの保護用衣類のいずれかについて構成することができるものであり、「氷トレイ」を成形するリッジおよび空洞を備えることができる。
【００２５】
ステップ２４において、モールドされた外側層内の空洞は、例えば、図２４に示されるように、液体フォームで満たすことができる。いくつかの実施形態では、外側層１１０、６１０のＴＰＵ側は、フォームを受け入れる。いくつかの実施形態では、液体フォームは、モールドされた「氷トレイ」の空洞に流し込むことができる。いくつかの実施形態では、液体フォームは、モールドされた「氷トレイ」の空洞に注入することができる。いくつかの実施形態では、液体フォームは、真空が続いている間に、モールドに流入または注入することができる。いくつかの実施形態では、過度の液体フォームは、それが硬化する前に、例えばスクィージーを用いて除去することができる。様々なタイプのフォーム、または異なる濃度のフォームは、空洞に流入または注入することができる。上述したように、これは、あるエリアにおいてさらなる保護を与えることができ、一方、他のエリアにおいて柔軟性の増加を可能にする。
【００２６】
ステップ２６において、第３の層（内側層）、例えばＴＰＵまたは繊維素材は、複合の第１および第２の層と第３の層の間にフォームを封入するように第１および第２の層に取り付けることができる。いくつかの実施形態では、ステップ２８において、プレートは、例えば、図２５に関連して以下説明されるように、第３の層に押圧することができる。いくつかの実施形態では、プレートは、１つまたは複数の凹みおよび／または突出部を備えることができる。フォームが硬化するので、膨張フォームは、プレートを押圧し、対応する凹みおよび突出部によって成形される。したがって、図示されるように、例えば図２２において、保護用衣類６００の内側層６２０は、１つまたは複数の突出部６２２を備えることができる。いくつかの実施形態では、内側層６２０は、保護用衣類６００の身体接触側とすることができ、したがって突出部６２２は、気流を促進および改善し、アスリートをより涼しく維持することができる。
【００２７】
図３は、一実施形態による保護用衣類を製造する方法を示す。ステップ３０において、フォームパターンが成形できる。例えば、図６は、一実施形態によるフォームトレイ１３４を示す。いくつかの実施形態では、フォームトレイ１３４は、フォームトレイ１３４の表面から突出することができる複数のセル１３６を有することができる。セル１３６は、例えば、限定するものではないが、正方形、長方形、三角形、円形、楕円形などの様々な形状およびサイズとすることができる。いくつかの実施形態では、フォームトレイ１３４は、フォームトレイ１３４の表面に１つまたは複数のチャンネルまたは溝１３８を備えることができる。いくつかの実施形態では、フォームトレイ１３４は、逆さまの角氷トレイに似ていることができる。いくつかの実施形態では、フォームトレイ１３４は、複数の行列のセル１３６を備えることができる。
【００２８】
ステップ３２において、真空が、第１の材料の下で発生させられ得る。ステップ３４において、フォームパターンは、第１の材料上に配設することができる。ステップ３６において、第２の材料（例えば、ＴＰＵまたは繊維素材）は、フォームパターンの上に真空成形することができる。ステップ３８において、１つまたは複数のグラフィックは、第２の材料上に作り出すことができる。例えば、グラフィックは、第２の材料を真空成形する前後に、第２の材料上に昇華することができる。他の実施形態も、グラフィック（例えば、昇華されたグラフィック）を備えることができる。
【００２９】
図５は、一実施形態による保護用衣類１００の断面図を示す。いくつかの実施形態では、図５に示されるような保護用衣類１００は、例えば、図３を参照して説明される方法を用いて製造することができる。いくつかの実施形態では、フォーム１３０（例えば、図６に示されたフォームトレイ１３４）は、内側層１２０、例えば、内側層１２０の第２の表面１２４上に配設することができる。いくつかの実施形態では、フォーム１３０は、１つまたは複数の突出部１３２を有することができる。いくつかの実施形態では、外側層１１０の内面１１４は、フォーム１３０上に配設することができる。いくつかの実施形態では、外側層１１０は、外側層１１０がフォーム１３０の上に成形される前後に、外側層１１０の外面１１２の上へ昇華されたグラフィックを有することができる。
【００３０】
図３２は、一実施形態による保護用衣類を製造する方法を示す。図３３は、一実施形態によるモールド上の保護用衣類層の断面図を示しており、これは図３２を参照して説明される方法を受けることができる。いくつかの実施形態では、第１の材料シート７６０は、モールド７００、例えば、真空モールド上に配設することができる。いくつかの実施形態では、モールド７００は、１つまたは複数の凹み７１２を有することができる。真空成形すると、凹み７１２は、本明細書中に説明された対応する空洞を作り出す。凹み７１２間の隆起部は、本明細書中に説明されたチャンネルまたは溝を作り出し、成形された材料のどちらの側が見られているかに応じてリッジとして説明することもできる。
【００３１】
いくつかの実施形態では、プレスシート７６２は、第１の材料シート７６０の上に配設することができる。保護用衣類は、例えば、以下に説明されるように、第１の材料シート７６０およびプレスシート７６２をモールド７００上に真空成形することによって製造することができる。
【００３２】
図示されるように、例えば、図３２中の実施形態では、ステップ４０において、第１の材料シートは加熱することができる。いくつかの実施形態では、第１の材料シートは、熱可塑性材料で構成することができる。いくつかの実施形態では、材料シートは、限定するものではないが、熱可塑性物質、熱可塑性エラストマ、熱可塑性ポリウレタン（ＴＰＵ）、繊維素材、繊維素材と熱可塑性材料の両方、複合材料、またはそれらの任意の組み合わせを含む様々な材料の複数の層で構成することができる。ステップ４１において、第１の材料シートは、モールド上に配置することができる。例えば、第１の材料シートは、真空モールド上に配置することができる。
【００３３】
ステップ４２において、プレスシートは、第１の材料シートの上に配設することができる。いくつかの実施形態では、プレスシートは、真空モールド、プレスシート、およびモールドとプレスシートの間に配設された第１の材料シートの間の吸引を促進するために低い空気透過性を有することができる。いくつかの実施形態では、プレスシートは、シリコーンゴムまたはエラストマ材料とすることができる。他の材料がプレスシートに使用されてもよい。
【００３４】
ステップ４３において、真空圧力が導入可能である。これは、プレスシートに加熱された第１の材料シートをモールドに押圧させることができ、これによってモールドの設計に従って第１の材料シートを永久的に形成することができる。すなわち、第１の材料シートは、第１の材料シートが凹みまたは空洞を有するように、モールド上の凹みに引き込むことができる。いくつかの実施形態では、次いで、真空圧力は、オフにすることができる。ステップ４４において、プレスシートは、例えば、第１の材料シートからプレスシートを剥離することによって第１の材料シートから除去することができる。
【００３５】
ステップ４５において、フォームは、第１の材料シートに成形された空洞内に配設することができる。本明細書中に説明されたように、例えば、ダイカットフォーム、モールデッドフォーム、および／または液体フォームが、空洞内に配設され得る。ステップ４６において、第２の材料シートは、第１の材料シートに取り付けることができ、第１の材料シートと第２の材料シートの間にフォームを封入する。
【００３６】
図７〜図１３は、実施形態によるグローブ２００を示す。グローブ２００およびグローブ２００の部分は、本明細書中に説明された方法のいずれかを用いて製造することができる。いくつかの実施形態では、グローブ２００は、例えば図９、図１１、および図１３に図示されるように、掌側部分２０２を備えることができる。グローブ２００は、例えば図７、図８、図１０、および図１２に示されるように、背側部分２０４を備えることができる。いくつかの実施形態では、グローブ２００は、指部２０６Ａ〜Ｅを備えることができる。いくつかの実施形態では、グローブ２００は、手首部分２０８を備えることができる。いくつかの実施形態では、外側層２１０は、複数のパッド２３０を封入することができ、これは着用者の手に保護をもたらすことができる。
【００３７】
いくつかの実施形態では、グローブ２００は、パッド２３０間に複数の溝２３８を備えることができる。背側部分２０４のパッド２３０は、任意のサイズ、形状、厚さ、または構成とすることができる。いくつかの実施形態では、パッド２３０および溝２３８は、手の動きやすさを許容もしつつ着用者の手の保護をもたらすように別個の解剖学的位置に配設することができる。例えば、図７に示されるように、いくつかの実施形態では、溝２３８は、１つまたは複数の指部２０６Ａ〜Ｅに沿って縦方向に延びることができる。いくつかの実施形態では、複数のパッド２３０は、指部２０６Ａ〜Ｅに沿って溝２３８のいずれの側にも配設することができる。いくつかの実施形態では、例えば、図８および図１０に示されるように、溝２３８は、指部２０６Ａ〜Ｅのほぼ各関節に位置することができ、パッド２３０は、着用者の指部の指骨骨にほぼ対応する位置に各溝２３８間で配設される。いくつかの実施形態では、着用者の中手骨のほぼ上に配設されたパッド２３０は、着用者の指骨骨のほぼ上に配設されたパッド２３０よりも大きい。いくつかの実施形態では、着用者の中手骨のほぼ上に配設されたパッド２３０は、着用者の指骨骨のほぼ上に配設されたパッド２３０よりも小さい。いくつかの実施形態では、１つまたは複数のグラフィックまたはしるし２５０は、グローブ２００の背側部分２０４の上に位置し得る。
【００３８】
図示されるように、例えば、図７〜図９、図１２、および図１３において、いくつかの実施形態では、グローブ２００は、袖口２４０を備えることができる。いくつかの実施形態では、袖口２４０は、１つまたは複数のパッド２３０を備えることができ、パッド２３０は、本明細書中に説明された保護用衣類を製造する方法のいずれかによって袖口２４０内に備えることができる。いくつかの実施形態では、袖口２４０は、ストラップ２４２を備えることができる。ストラップ２４２は、使用者の手首または前腕のまわりで袖口２４０のサイズおよびフィットを調整するように使用することができる。いくつかの実施形態では、ストラップ２４２は、ストラップ２４２を使用者の手首または前腕のまわりで袖口２４０に固定するためにホックおよびループファスナの部品を含むことができる。袖口２４０は、他のタイプの保護用衣類、例えば、限定するものではないが、腕パッド、ひざパッド、および脛パッドと使用するように構成することもできる。
【００３９】
図示されるように、例えば、図１１および図１３において、いくつかの実施形態では、グローブ２００は、掌側部分２０２の後縁２０３を含むことができる。いくつかの実施形態では、グローブ２００は、背側部分２０４の後縁２０５を備えることができる。いくつかの実施形態では、袖口２４０は、グローブ２００の掌側部分２０２および／または背側部分２０４に取り付けることができる。例えば、袖口２４０の前縁２４４は、それぞれ掌側部分２０２および背側部分２０４の後縁２０３および／または後縁２０５に取り付けることができる。いくつかの実施形態では、袖口２４０は、それぞれ掌側および背側部分２０２、２０４の後縁２０３、２０５に縫い目２４６に沿って縫い合わせることができる。いくつかの実施形態では、袖口２４０は、前縁２４４の周囲にわたって完全に取り付けることができる。いくつかの実施形態では、袖口２４０は、必要があれば、着用者によってはぎ取るまたは切除することができる。
【００４０】
図示されるように、例えば図１１では、いくつかの実施形態では、手首部分２０８は、複数のセクションを備えることができる。いくつかの実施形態では、隣接セクションは、例えば、バンド２０９によって互いに結合することができる。いくつかの実施形態では、バンド２０９は、弾性材料であり得る。
【００４１】
図１４〜図１６は、各実施形態によるグローブ型板２６０を示す。グローブ型板２６０は、グローブ２００の背側部分２０４を成形するために使用することができる。グローブ型板２６０は、本明細書中に説明された方法のいずれかにより製造することができる。いくつかの実施形態では、グローブ型板２６０を形成したとき、それは、余分な材料を製造プロセスから除去するために縁部２６２に沿って切ることができる。図１４は、グローブ型板２６０がグローブ２００の背側部分２０４の外側層２１０になる一実施形態を示す。図１５は、一実施形態による内側層２２０を示す。図１６は、余分な材料を除去するために縁部２６２沿ってトリミングした後のグローブ型板２６０を示す。図１６も、グラフィックまたはしるし２５０の追加を示す。例えば、グラフィック２５０は、昇華によりグローブ型板２６０の外側層２１０に加えることができる。
【００４２】
図１７および図１８は、一実施形態によるエルボーパッド３００を示す。いくつかの実施形態では、エルボーパッド３００は、スリーブ３０２を備えることができ、スリーブ３０２は、エルボーパッド３００を所定の位置に保持するように着用者の腕に対して配設することができる。いくつかの実施形態では、スリーブ３０２は、弾性繊維素材であり得る。いくつかの実施形態では、エルボーパッド３００は、様々な形状およびサイズのパッド３３０を有する１つまたは複数のパッド部分３０４Ａ、３０４Ｂ、および３０４Ｃを備えることができる。例えば、いくつかの実施形態では、パッド部分３０４Ａおよび３０４Ｃは１つまたは複数の三角形パッド３３０を有することができ、パッド部分３０４Ｂは１つまたは複数の四辺形パッド３３０を有することができる。パッド部分３０４Ａ〜Ｃは、本明細書中に説明された方法のいずれかに従って作製することができる。パッド部分３０４Ａ〜Ｃは、共に結合された別々のピース、または単一の一体ピースとすることができる。いくつかの実施形態では、パッド部分３０４Ａ〜Ｃは外側層３１０を備えることができ、外側層３１０は１つまたは複数のパッド３３０を封入することができる。いくつかの実施形態では、エルボーパッド３００は、パッド３３０間にチャンネルまたは溝３３８を備えることができる。いくつかの実施形態では、１つまたは複数のパッド部分３０４Ａ〜Ｃの外側層３１０は、１つまたは複数のグラフィックまたはしるし３５０、例えば、昇華されたグラフィックを備えることができる。いくつかの実施形態では、パッド部分３０４Ａ、３０４Ｂ、および３０４Ｃは、それぞれ着用者の上腕（例えば、三頭筋および上腕骨）、肘関節、および前腕（例えば、橈骨および尺骨）の上に配設することができる。
【００４３】
図示されるように、例えば、図１８において、いくつかの実施形態では、エルボーパッド３００は、例えば、図７〜図９、図１２、および図１３のグローブ２００を参照して説明される袖口の類似し得る袖口３４０を備えることができる。いくつかの実施形態では、袖口３４０は、着用者の腕のまわりの袖口３４０を調整するためにストラップ３４２を備えることができる。いくつかの実施形態では、袖口３４０は前縁３４４を備えることができ、前縁３４４は、例えば、縫い目３４６に沿ってエルボーパッド３００のパッド部分３０４の後側に取り付けることができる。
【００４４】
図１９は、一実施形態による胸部保護具４００を示す。胸部保護具４００は、本明細書中に説明された方法のいずれかに従って作製することができる。いくつかの実施形態では、胸部保護具４００は外側層４１０を備えることができ、外側層４１０は１つまたは複数のパッド４３０を備えることができる。いくつかの実施形態では、胸部保護具４００は、パッド４３０間に１つまたは複数のチャンネルまたは溝４３８を備えることができる。いくつかの実施形態では、パッド４３０は、着用者の所定の解剖学的位置を保護するように配設することができる。例えば、１つまたは複数のパッド４３０は、１つまたは複数のパッド４３０が着用者の肩、胸、腹、および／または肋骨を覆うように配設することができる。いくつかの実施形態では、パッド４３０の大部分は、四辺形形状であり得る。いくつかの実施形態では、五角形パッドが、着用者の胸骨のほぼ上に配設され得る。いくつかの実施形態では、胸部保護具４００は、外側層４１０に１つまたは複数のグラフィックまたはしるし４５０、例えば昇華されたグラフィックを備えることができる。
【００４５】
図２０は、一実施形態による肩パッド５００を示す。肩パッド５００は、本明細書中に説明された方法のいずれかに従って作製することができる。いくつかの実施形態では、肩パッド５００は、１つまたは複数のパッド５３０を覆うことができる外側層５１０を備えることができる。いくつかの実施形態では、肩パッド５００は、パッド５３０間に１つまたは複数のチャンネルまたは溝５３８を備えることができる。いくつかの実施形態では、パッド５３０は、着用者の所定の解剖学的位置を保護するように配設することができる。例えば、１つまたは複数のパッド５３０は、着用者の肩、胸、および／または肋骨を覆うように配設することができる。いくつかの実施形態では、パッド５３０の大部分は、形状がほぼ三角形、例えば、丸いコーナーを有する三角形であり得る。いくつかの実施形態では、細長いパッドは、例えば図２１に示されるように、着用者の胸骨のほぼ上に配設することができ、首部分から肩パッド５００の底部へ延びる。いくつかの実施形態では、肩パッド５３０は、外側層５１０上に１つまたは複数のグラフィックまたはしるし５５０、例えば、昇華されたグラフィックを備えることができる。
【００４６】
図２１および図２２は、それぞれ、一実施形態による保護用衣類６００の正面図および後面図を示す。図２１および図２２に示されるように、保護用衣類６００は、外側層６１０と内側層６２０の間に配設された１つまたは複数のパッド６３０を覆う外側層６１０を有することができる。いくつかの実施形態では、保護用衣類６００は、パッド６３０間に１つまたは複数のチャンネルまたは溝６３８を備えることができる。いくつかの実施形態では、保護用衣類６００は、外側層６１０（図示せず）にグラフィックまたはしるし、例えば、昇華されたグラフィックを備えることができる。
【００４７】
本明細書中に説明された他のタイプの保護用衣類と同様に、いくつかの実施形態では、保護用衣類６００は、例えば図２３に示されるように、パターン７０２を有するモールド７００上に外側層６１０を真空成形することによって製造することができる。いくつかの実施形態では、外側層６１０は、ＴＰＵ、繊維素材、またはＴＰＵが繊維素材に接合された複合材料であり得る。１つまたは複数の空洞６１６は、モールド７００のパターン７０２なので外側層６１０内に成形することができる。パターン７０２のサイズ、形状、凹み、およびリッジは、特定のタイプの保護用衣類、例えば本明細書中に開示された保護用衣類の実施形態のいずれかのために構成することができる。例えば、図２４に示されるように、フォーム６３０は、空洞６１６内に配設することができる。フォーム６３０は、空洞６１６、モールデッドフォーム、および／または空洞６１６に流入または注入される液体フォームの中に配置されるダイカットフォームピースであり得る。
【００４８】
いくつかの実施形態では、内側層６２０は、保護用衣類６００の内側層６２０と外側層６１０の間でフォーム６３０を囲むようにフォーム６３０および外側層６１０の上へ配設することができる。図２２に示されるように、例えば、いくつかの実施形態では、保護用衣類６００の内側層６２０は、１つまたは複数の突出部６２２を備えることができる。例えば図２のステップ２８に関連して説明されたように、これらの突出部は、例えばプレート７１０を内側層６２０に押圧することによって成形することができる。突出部６２２は、任意のサイズ、形状、または構成を有することができる。例えば、突出部６２２は、円形の外形、または丸い角がある長方形の外形を有することができる。いくつかの実施形態では、突出部６２２は、列および／または行に配設することができる。例えば、図２５に示されるように、突出部６２２は、プレート７１０中の凹み７１２に対応する。内側層６２０と外側層６１０の間の液体フォームが硬化すると、フォームは、内側層６２０に押圧されたプレート７１０の凹み７１２の中に広がることができ、それによって内側層６２０の突出部６２２を作り出す。これらの突出部６２２は、着用者の身体に接触する表面を減少させ、気流を促進および改善し、アスリートをより涼しく維持することができる。
【００４９】
図２８〜図３１は、保護用衣類を真空成形するためのモールド７２０、７３０、７５０、および７５１の実施形態を示す。モールドは、任意の適切な材料、例えば、金属またはプラスチックから作製することができる。材料の層がモールドの上部に配設されるとともに真空がオンにされるとき、材料は、上述したように「角氷トレイ」を成形するように穴に引き込むことができる。モールドは、特定のタイプの保護用衣類のために成形されたパターンを有することができ、穴および壁は、第１の層がモールド上に真空成形されるとフォームが切除エリアの中に配設され得るように配置される。パターンを構成する穴および壁は、図２８〜図３１に示された実施形態に加えて、多くの他の構成を有し得る。
【００５０】
図２８は、パターン７２２が概して手の形状である、グローブモールド７２０の一実施形態を示す。グローブモールド７２０は、複数の穴７２４と、穴７２４間に配設された複数の壁７２６とを備える。グローブモールド７２０のためのパターン７２２の穴７２４および壁７２６の他の構成が考えられる。例えば、穴７２４は、他の形状、サイズ、および位置を有することができる。これは、フォームがモールドされた外殻内に配設され材料の別の層間で囲まれると、グローブに異なる外観、感覚、および保護スキームを与えることができる。
【００５１】
図２９は、エルボーパッドモールド７３０の一例を示す。エルボーパッドモールド７３０のパターン７３２は、複数の穴７３４と、穴７３４の間に配設された複数の壁７３６とを備える。エルボーパッドモールド７３０用のパターン７３２の穴７３４および壁７３６の他の構成が考えられる。例えば、穴７３４は、他の形状、サイズ、および位置を有することができる。これは、フォームがモールドされた外殻内に配設され材料の別の層間で囲まれると、エルボーパッドに異なる外観、感覚、および保護スキームを与えることができる。
【００５２】
図３０は、肩パッドのためのチェストモールド７５０の一例を示す。チェストモールド７５０のパターン７５２は、複数の穴７５４と、穴７５４間に配設された複数の壁７５６とを備える。チェストモールド７５０のためのパターン７５２の穴７５４および壁７５６の他の構成が考えられる。例えば、穴７５４は、他の形状、サイズ、および位置を有することができる。これは、フォームがモールドされた外殻内に配設され材料の別の層間で囲まれると、肩パッドの胸部に異なる外観、感覚、および保護スキームを与えることができる。
【００５３】
図３１は、肩パッドのためのバックモールド７５１の一例を示す。バックモールド７５１のパターン７５３は、複数の穴７５５と穴７５５間に配設された複数の壁７５７とを備える。バックモールド７５１のためのパターン７５３の穴７５５および壁７５７の他の構成が考えられる。例えば、穴７５
５は、他の形状、サイズ、および位置を有することができる。これは、フォームがモールドされた外殻内に配設され材料の別の層間で囲まれると、肩パッドの後部に異なる外観、感覚、および保護スキームを与えることができる。
【００５４】
概要および要約の章ではなく、詳細な説明の章は、特許請求の範囲を解釈するために使用されることが意図されることを理解されたい。概要および要約の章は、１つまたは複数記載され得るが、本発明者らにより考えられた保護用衣類の例示的な実施形態の全部ではなく、したがって本実施形態および添付の特許請求の範囲を何らかの形で制限することは意図されない。
【００５５】
本開示は、特定の機能およびその関係の実施を示す機能構築ブロックの助けを借りて上述されてきた。これらの機能構築ブロックの境界は、説明の便宜のために本明細書中に任意に定められてきた。特定の機能およびその関係が適切に実行される限り、代わりの境界が定められてもよい。
【００５６】
特定の実施形態の前述の説明は、他のものは、本開示の一般的な概念から逸脱することなく、過度の経験がなくても、当業者内の知識を適用することによって、そのような特定の実施形態を様々な用途に容易に修正および／また適合させることができるという本発明の一般的な性質を大変完全に明らかにする。したがって、そのような適合および修正は、本明細書中に示され得た教示および案内に基づいて、開示された実施形態の均等の意味および範囲内にあることが意図される。本明細書中の専門語または述語は、説明のためのものであり、限定するものではなく、本明細書の専門語または述語は、教示および案内の観点で当業者によって解釈されるべきであるようになっていることを理解されたい。
【００５７】
本開示の広がりおよび範囲は、上記の例示的な実施形態のいずれかによって限定されるべきではなく、添付の特許請求の範囲およびその均等物によってのみ定められるべきである。
【００５８】
以下において、本発明の理解を容易にするために、さらなる実施形態が説明される。
１．真空成形された第１の材料を備える第１の外側外殻であって、
第１の空洞、
第２の空洞、および
第１の空洞と第２の空洞の間に配設されたチャンネル
を備える、第１の外側外殻と、
第１の空洞内に配設された第１のパッドピースと、
第２の空洞内に配設された第２のパッドピースと、
第１の外側外殻に取り付けられた第１の内側層と
を備え、
第１のパッドピースおよび第２のパッドピースは、第１の外側外殻と第１の内側層の間に配設される、保護用衣類の物品。
２．第１の材料は、熱可塑性エラストマを備える、実施形態１に記載の保護用衣類の物品。
３．第１の材料は、熱可塑性ポリウレタンを備える、実施形態２に記載の保護用衣類の物品。
４．第１の材料は、布を備える、実施形態１に記載の保護用衣類の物品。
５．第１のパッドピースは、ダイカットフォームを備える、実施形態１に記載の保護用衣類の物品。
６．第２のパッドピースは、モールデッドフォームを備える、実施形態５に記載の保護用衣類の物品。
７．第１のパッドピースは、硬化された液体フォームを備える、実施形態１に記載の保護用衣類の物品。
８．保護用衣類は、
掌側部分と、
背側部分と、
袖口部分と
を備えるグローブである、実施形態１に記載の保護用衣類の物品。
９．背側部分は、第１の外側外殻と、第１のパッドピースと、第２のパッドピースと、第１の内側層とを備える、実施形態８に記載の保護用衣類の物品。
１０．袖口部分は、背側部分に結合されており、袖口部分は、
真空成形された第２の材料を備える第２の外側外殻であって、第３の空洞を有する、第２の外側外殻と、
第３の空洞内に配設された第３のパッドピースと、
第２の外側外殻に取り付けられた第２の内側層であって、第３のパッドピースは、第２の外側外殻と第２の内側層との間に配設される、第２の内側層と、
袖口部分を着用者の腕に対して固定するように構成されたストラップと
を備える、実施形態８に記載の保護用衣類の物品。
１１．第１の材料および第２の材料は、同じである、実施形態１０に記載の保護用衣類の物品。
１２．保護用衣類は、エルボーパッド、肩パッド、または胸部保護具である、実施形態１に記載の保護用衣類の物品。
１３．外側層と、内側層と、外側層の空洞内で外側層と内側層の間に配設されたパッドピースとを有するパッド部分であって、
モールド上に外側層を真空成形し、
外側層の空洞内にパッドピースを配設し、
内側層を外側層に取り付ける
ことによって成形される、パッド部分
を備える、保護用衣類の物品。
１４．外側層は、熱可塑性エラストマを備える、実施形態１３に記載の保護用衣類の物品。
１５．パッドピースは、ダイカットフォームを備える、実施形態１３に記載の保護用衣類の物品。
１６．保護用衣類の物品を作製する方法であって、
複数の凹みを備えるパターンを有する真空モールド上に第１の層を配設するステップと、
第１の層が真空モールドの凹みに対応する複数の空洞を備えるように第１の層を真空成形するステップと、
第１の層の空洞内にフォームを配設するステップと、
第２の層を第１の層に取り付けるステップと
を含む方法。
１７．空洞内にフォームを配設するステップは、空洞内にダイカットフォームピースを配設するステップを含む、実施形態１６に記載の方法。
１８．空洞内にフォームを配設するステップは、空洞内に液体フォームを注入するステップを含む、実施形態１６に記載の方法。
１９．第１の層の外表面上に昇華されたグラフィックを製作するステップをさらに含む、実施形態１６に記載の方法。
２０．第１の層を真空成形する前に第１の層の上にシートを配設するステップをさらに含み、シートは、シリコーン、またはエラストマを備える、実施形態１６に記載の方法。
図示されたまたは上述された構成要素、ならびに図示または記載されていない構成要素およびステップについて様々なアレンジが可能である。同様に、いくつかの特徴およびサブコンビネーションが有効であり、他の特徴およびサブコンビネーションと関係なく用いることができる。本発明の各実施形態は、例示のために記載されており、限定の目的ではなく、代替実施形態は、本特許の読者には明らかになろう。したがって、本発明は、上述または図示された各実施形態に限定されず、様々な実施形態および修正形態が、添付の特許請求の範囲から逸脱することなくなされてもよい。
【符号の説明】
【００５９】
１００  保護用衣類
１１０  外側層
１１２  外面
１１４  内面
１１６  空洞
１２０  内側層
１２２  第１の表面
１２４  第２の表面
１３０  フォームピース、フォーム
１３２  突出部
１３４  フォームトレイ
１３６  セル
２００  グローブ
２０２  掌側部分
２０３  後縁
２０４  背側部分
２０５  後縁
２０６Ａ〜Ｅ  指部
２０８  手首部分
２０９  バンド
２１０  外側層
２２０  内側層
２３０  パッド
２３８  溝
２４０  袖口
２４２  ストラップ
２４４  前縁
２４６  縫い目
２５０  グラフィックまたはしるし
２６０  グローブ型板
２６２  縁部
２７０  フォームシート
２７２  穴
３００  エルボーパッド
３０２  スリーブ
３０４Ａ  パッド部分
３０４Ｂ  パッド部分
３０６Ｃ  パッド部分
３１０  外側層
３３０  パッド
３３８  チャンネルまたは溝
３４０  袖口
３４２  ストラップ
３４４  前縁
３４６  縫い目
３５０  グラフィックまたはしるし
４００  胸部保護具
４１０  外側層
４３０  パッド
４３８  チャンネルまたは溝
４５０  グラフィックまたはしるし
５００  肩パッド
５１０  外側層
５３０  パッド
５３８  チャンネルまたは溝
５５０  グラフィックまたはしるし
６００  保護用衣類
６１０  外側層
６１６  空洞
６２０  内側層
６２２  突出部
６３０  パッド、フォーム
６３８  チャンネルまたは溝
７００  モールド
７０２  パターン
７１０  プレート
７１２  凹み
７２０  モールド、グローブモールド
７２２  パターン
７２４  穴
７２６  壁
７３０  モールド、エルボーパッドモールド
７３２  パターン
７３４  穴
７３８  壁
７５０  モールド、チェストモールド
７５１  モールド、バックモールド
７５２  パターン
７５３  パターン
７５４  穴
７５５  穴
７５６  壁
７５７  壁
７６０  第１の材料シート
７６２  プレスシート
【図１】
2018066101.tif 000003
【図２】
2018066101.tif 000004
【図３】
2018066101.tif 000005
【図４】
2018066101.tif 000006
【図５】
2018066101.tif 000007
【図６】
2018066101.tif 000008
【図７】
2018066101.tif 000009
【図８】
2018066101.tif 000010
【図９】
2018066101.tif 000011
【図１０】
2018066101.tif 000012
【図１１】
2018066101.tif 000013
【図１２】
2018066101.tif 000014
【図１３】
2018066101.tif 000015
【図１４】
2018066101.tif 000016
【図１５】
2018066101.tif 000017
【図１６】
2018066101.tif 000018
【図１７】
2018066101.tif 000019
【図１８】
2018066101.tif 000020
【図１９】
2018066101.tif 000021
【図２０】
2018066101.tif 000022
【図２１】
2018066101.tif 000023
【図２２】
2018066101.tif 000024
【図２３】
2018066101.tif 000025
【図２４】
2018066101.tif 000026
【図２５】
2018066101.tif 000027
【図２６】
2018066101.tif 000028
【図２７】
2018066101.tif 000029
【図２８】
2018066101.tif 000030
【図２９】
2018066101.tif 000031
【図３０】
2018066101.tif 000032
【図３１】
2018066101.tif 000033
【図３２】
2018066101.tif 000034
【図３３】
2018066101.tif 000035
【外国語明細書】
2018066101000001.pdf